(57)【要約】【課題】建築構造物の断熱に好適な内張り断熱構造を有する建築構造物を提供する。【解決手段】本発明は、基礎３と、該基礎３上に構築された外壁部８と、前記外壁部８上部に設けられた屋根５とを備え、前記基礎３及び外壁部８の屋内１ａ側の表面に取り付けられた断熱材９と、該断熱材９の屋内１ａ側に固定された防水材１０と、該防水材１０の屋内１ａ側に通気層１１を介在させて配設された内装材１２とを有することを特徴とする。【選択図】図１
2011184905.tif 000002
【特許請求の範囲】
【請求項１】
基礎と、該基礎上に構築された外壁部と、前記外壁部上部に設けられた屋根とを備え、
前記基礎及び外壁部の屋内側の表面に取り付けられた断熱材と、該断熱材の屋内側に固定された防水材と、該防水材の屋内側に通気層を介在させて配設された内装材とを有することを特徴とする断熱構造を有する建築構造物。
【請求項２】
請求項１に記載の断熱構造を有する建築構造物において、
前記通気層は、その下部において屋内と連通し、上部において屋外と連通していることを特徴とする断熱構造を有する建築構造物。
【請求項３】
請求項１又は２に記載の断熱構造を有する建築構造物において、
前記断熱材は、板状のフェノール樹脂発泡体の表裏面に不燃紙が貼着されたものであることを特徴とする断熱構造を有する建築構造物。
【発明の詳細な説明】
【技術分野】
【０００１】
本発明は、断熱構造を有する建築構造物に関する。
【背景技術】
【０００２】
一般に、昆布等の海産物は、海中から採取した後にこれを乾燥させて市場に提供する。海産物の乾燥は、天日干しによるほか、乾燥室により行われており、近年、乾燥時間の短縮化等の観点から、乾燥室が広く用いられている。
この種の乾燥室は、室内の熱を効率的に利用するために、室内外間を断熱構造とすることが望ましいとされており、断熱構造を備えた建築構造物として下記特許文献１に開示されたものが知られている。
【０００３】
図５に示すように、特許文献１に示す建築構造物の断熱構造１００は、符号Ｘで示す部分を室内側、符号Ｙで示す部分を室外側としてこれらの間に形成される屋根の構造を示すものであって、屋根の下地１０１に鋼材１０２、１０２・・を介在させて、発泡プラスチック製の断熱ボード１０３を取り付け、断熱ボード１０３、１０３同士の間Ｓに目地処理をした後、断熱ボード１０３の表面に防水材１０４を塗布又は吹き付けて施工している。
【０００４】
この断熱構造１００によれば、下地１０１の外側に空間Ｐ及び断熱ボード１０３が存在するので室外Ｘ側と室内Ｙ側との温度伝達を有効に遮断することができ、高い断熱効果を得ることが出来る。
【先行技術文献】
【特許文献】
【０００５】
【特許文献１】特開平１０−３１７５９９号公報
【発明の概要】
【発明が解決しようとする課題】
【０００６】
しかし、上記の断熱構造１００においては、断熱ボード１０３がその内側に付着した水分を吸収することによって、当該断熱ボード１０３にカビ等が発生し、当該断熱ボード１０３の腐食による断熱性能の劣化、耐久性の低下が生じるという問題があった。
【０００７】
また、断熱構造１００を上記のような海産物の乾燥室に適用した場合には、室内Ｘが高温かつ高い湿度を持つことになるため、壁部や屋根にも湿気が侵入しやすく、これらの部分に侵入した湿気を外部に排出できないという問題がある。すなわち断熱構造１００においては、内部の湿気が断熱構造１００を通して空間Ｐ内に進入した場合に、この空間Ｐ内が閉塞された空間であるため、この湿気が断熱ボード１０３に吸収され有効に外部に排出することができないという問題がある。
【課題を解決するための手段】
【０００８】
本発明に係る断熱構造を有する建築構造物は、上記した課題を解決するべく、下記の手段を提供している。
すなわち、請求項１に係る断熱構造を有する建築構造物は、基礎と、該基礎上に構築された外壁部と、前記外壁部上部に設けられた屋根とを備え、前記基礎及び外壁部の屋内側の表面に取り付けられた断熱材と、該断熱材の屋内側に固定された防水材と、該防水材の屋内側に通気層を介在させて配設された内装材とを有することを特徴とする。
【０００９】
請求項２に係る断熱構造を有する建築構造物は、請求項１に記載の断熱構造を有する建築構造物において、前記通気層は、その下部において屋内と連通し、上部において屋外と連通していることを特徴とする。
【００１０】
請求項３に係る断熱構造を有する建築構造物は、前記断熱材は、板状のフェノール樹脂発泡体の表裏面に不燃紙が貼着されたものであることを特徴とする。
【発明の効果】
【００１１】
本発明による断熱構造を有する建築構造物によれば、上記した解決手段によって下記の効果を奏する。
すなわち、請求項１に係る断熱構造を有する建築構造物によれば、断熱材と内装材との間に通気層を介在させているため、断熱材を覆っている防水材の表面及び内装材の間の湿気を蒸発させやすく、高温多湿になる乾燥室においても断熱材及び内装材がカビ等により腐食しにくく、断熱効果を低下させ難いという効果を奏する。
【００１２】
請求項２に係る断熱構造を有する建築構造物によれば、前記通気層が屋内下部において屋内と連通し、屋内上部において屋外と連通しており、外壁部と断熱層との間に侵入した湿気を効果的に屋外へ排出することができるという効果を奏する。
【００１３】
請求項３に係る断熱構造を有する建築構造物によれば、断熱材として板状のフェノール樹脂発泡体を使用することにより、高い断熱性能を得ることができるとともに、断熱材の厚みを抑えて屋内空間を確保することができるという効果を奏する。
また、断熱材の軽量化を図ることができるため、断熱材の施工現場への持ち運び及び施工が簡便となって効率よく施工作業をすることができ、施工作業の簡便化により施工費用の低減が図れるという効果を奏し、更には建築構造物の固定荷重の軽減を図ることができるという効果を奏する。
【図面の簡単な説明】
【００１４】
【図１】は、本発明の一実施形態として示した断熱構造を有する建築構造物の一部を断面視した概略構成図である。
【図２】は、本発明の一実施形態として示した断熱構造を有する建築構造物の要部の側断面図である。
【図３】は、本発明の一実施形態として示した断熱構造を有する建築構造物の要部の一部を分解した斜視図である。
【図４】は、本発明の一実施形態として示した断熱構造を有する建築構造物の要部の一部を拡大して断面視した概略構成図である。
【図５】は、従来の断熱構造を示す要部の断面図である。
【発明を実施するための形態】
【００１５】
以下、本発明に係る断熱構造を有する建築構造物の実施形態について、昆布乾燥小屋を例として、図を参照して説明する。
図１は、本発明による建築構造物１（以下「乾燥小屋１」という）を示すものである。図に示すように、乾燥小屋１は、断熱構造２を有するものであって、基礎３と、この基礎３上に設置された側壁４、４・・と、側壁４、４・・上に設けられた屋根５とを備えて構成されたものである。図２は、基礎３及び側壁４の詳細を示している。
【００１６】
図２に示すように、基礎３は、フーチング部６を有する下部３ａが地盤Ｇ内に埋設されており、上部３ｂが一定寸法地上に露出している。基礎３の上面には土台７が固定されており、土台７上には、外壁部８が立設されている。
【００１７】
外壁部８及び基礎３の屋内１ａ側には、これら外壁部８及び基礎３に亘って断熱材９、防水材１０が配設されている。断熱材９は、図示しない留め具により外壁部８及び基礎３の上部３ｂの表面に固定されており、防水材１０は接着剤、もしくはビス、釘、タッカー等により断熱材９の表面に固定されている。
【００１８】
防水材１０の屋内１ａ側には、通気層１１を介在させて内装材１２が配設されている。
この構成において、断熱材９、防水材１０、通気層１１及び内装材１２は、断熱構造２を構成し、外壁部８とともに前記側壁４を構成している。
【００１９】
外壁部８は、図３に示すように土台７の上面に立設された柱１３及び間柱１４と、これら柱１３及び間柱１４の上端面間に亘って架設された図１に示す軒桁１５と、これら柱１３、間頭１４等の外面側に図３に示すように固定された外装材１６及び同内面側に固定された内側パネル１７とを備えて構成されたものである。
【００２０】
図１に示すように、屋根５は、軒桁１５、棟木１８の上面間に架設された垂木１９の上面に葺き板２０が設けられたものであり、その内面側には断熱材９、防水材１０、及び内装材１２が外壁部８の屋内１ａ側に連続するように設けられている。
【００２１】
断熱材９は、板状の断熱芯材と、該断熱芯材の表面及び裏面に貼り付けられた不燃紙とを備えたパネル状部材であり、乾燥小屋１の四方を囲む基礎３の上部３ｂ及び外壁部８、及び屋根５の全体を覆っている。
【００２２】
この断熱材９の断熱芯材の材質としては、フェノール樹脂発泡体を用いることが好ましく、該フェノール樹脂発泡体以外には、ポリウレタンフォーム、押出発泡ポリスチレンフォーム、ビーズ法ポリスチレンフォーム、メラミン樹脂、尿素樹脂、熱硬化性ポリイミド等の熱硬化性樹脂の発泡体、ポリエチレン、ポリプロピレン、エチレン・酢酸ビニル共重合体、ポリ塩化ビニル、アクリル樹脂等の熱可塑性樹脂の発泡体の他に、グラスウールやロックウール等の繊維材等を用いることが出来る。また、断熱芯材の厚さは１０ｍｍ〜１００ｍｍとするのが望ましい。
【００２３】
本発明で使用される好ましいフェノール樹脂のタイプは、レゾール樹脂である。レゾール樹脂は、フェノール、又はクレゾール、キシレノール、パラアルキルフェノール、パラフェニールフェノール、レゾルシノール等のフェノール化合物と、ホルムアルデヒド、フルフラール、アセトアルデヒド等のアルデヒドとの、触媒量の水酸化ナトリウム、水酸化カリウム、水酸化カルシウム、又はトリメチルアミンやトリエチルアミン等の脂肪族アミンの存在下での化学反応によって得ることができる。これらの化学薬品は、通常は標準的なレゾール樹脂製造において使用されるものであってよく、本発明は、ここで記載された化学薬品に限定されるものではない。
【００２４】
フェノールとアルデヒドとのモル比は、特に限定されず、好ましくはフェノール：アルデヒド＝１：１〜１：３、より好ましくは１：１．５〜１：２．５、特に好ましくは１：１．６〜１：２．１である。
【００２５】
フェノール樹脂の好ましい重量平均分子量は、４００〜３，０００であり、より好ましくは７００〜２，０００である。数平均分子量は、好ましくは１５０〜１，０００であり、より好ましくは３００〜７００である。
【００２６】
発泡剤は、特に限定されず、炭素数１〜８の脂肪族炭化水素、炭素数１〜８の塩素化脂肪族炭化水素、１，１，１，３，３−ペンタフルオロブタン等の弗素化炭化水素化合物（代替フロン）、トリクロロモノフルオロメタン、トリクロロトリフルオロエタン等の塩弗素化炭化水素化合物、イソプロピルエーテル等のエーテル化合物、窒素、アルゴン、炭酸ガス、空気等が単独で又は２種以上の混合物で使用される。
【００２７】
発泡剤の中でも、得られる発泡体が低熱伝導率でありかつ地球温暖化の潜在的危険性が小さいことから、炭素数２〜７の脂肪族炭化水素と炭素数２〜６の塩素化脂肪族炭化水素が単独で又は２種以上の混合物で好ましく用いられ、プロパン、ブタン、ペンタン、ヘキサン等の炭素数３〜６の脂肪族炭化水素とジクロロエタン、プロピルクロリド、イソプロピルクロリド、ブチルクロリド、イソブチルクロリド、ペンチルクロリド、イソペンチルクロリド等の炭素数２〜５の塩素化脂肪族炭化水素の２種以上の混合物が、特に好ましい。
【００２８】
発泡剤の量は、フェノール樹脂の１００重量部当り１〜２０重量部であり、より好ましくはフェノール樹脂の１００重量部当り３〜１０重量部である。
【００２９】
フェノール樹脂の重合を開始させるために使用される硬化剤は、硫酸、リン酸等の無機酸、ベンゼンスルホン酸、エチルベンゼンスルホン酸、パラトルエンスルホン酸、キシレンスルホン酸、ナフトールスルホン酸、フェノールスルホン酸等の有機酸が用いられ、ベンゼンスルホン酸、エチルベンゼンスルホン酸、パラトルエンスルホン酸、キシレンスルホン酸、ナフトールスルホン酸及びフェノールスルホン酸が好ましく、特にパラトルエンスルホン酸およびキシレンスルホン酸が好適である。
【００３０】
これらの硬化剤は、１種を単独で用いてもよく、２種以上を組み合わせて用いてもよい。その使用量は、硬化剤の種類にもよるが、フェノール樹脂１００重量部当たり、通常５〜２５重量部、好ましくは７〜２２重量部の範囲であり、より好ましくは１０〜２０重量部の範囲である。
【００３１】
断熱材９の不燃紙としては、アルミ箔の他に、ノンアスベストの天然鉱物である含水ケイ酸マグネシウムを主成分とする無機質原紙や、水酸化アルミニウムを含有する紙等が用いられる。また、不燃紙の厚さは、０．００６ｍｍ〜０．３ｍｍであることが望ましい。
【００３２】
防水材１０は、ポリエチフィルムなどのプラスティックシートやアルミフィルム等の水を通さないシートからなるシート材であって、断熱材９の屋内１ａ側の面全域を覆うように設けられている。
【００３３】
防水材１０の屋内１ａ側には、通気層１１が形成されているが、この場合、図３に示すように防水材１０の表面には複数の縦胴縁３０が互いに水平方向に間隔を空けて固定されており、これら縦胴縁３０の屋内１ａ側の面に内装材１２が固定されている。この通気層１１は、縦胴縁３０に沿って上下方向に延在するように形成されている。
【００３４】
内装材１２は、合板、石膏ボード、軟質繊維板、モルタル、合板、ＯＳＢボード（配向性ストランドボード）、しっくい、ＭＤＦ（中質繊維板）、マツ、スギ、ケイ酸カルシウム板、土壁、コンクリート、ＡＬＣ、軽量コンクリート等のパネル材よりなるものであり、図１に示すように、屋内１ａの最表面に位置するよう基礎３、外壁部８、及び屋根５に配された断熱材９全体を覆うように配置されている。
【００３５】
この乾燥小屋１は、いわゆる床を備えて構成されたものではなく、地盤Ｇの表面が屋内１ａに露出する構成とされている。この場合、地盤Ｇの表面には砂利が敷き詰められ、突き固められている。
【００３６】
図２には、断熱材９、防水材１０、通気層１１及び内装材１２の下端部の詳細が示されている。この図に示すように、防水材１０は断熱材９の屋内１ａ側の面に連続して下端面を覆っている。そして、防水材１０の下端面及び内装材１２の下端面は地盤Ｇの表面から寸法Ｌだけ上方に位置しており、通気層１１の下端は下方に開口し、屋内１ａと連通している。
【００３７】
また、図４に示すように、屋内１ａは、間仕切り３１により昆布を乾燥させる乾燥室Ｒ１と、熱風発生装置３２を設置した制御室Ｒ２とに分けられている。
【００３８】
間仕切り３１は、上端の位置が屋根５から一定寸法下方に位置しており、間仕切り３１の上方空間が乾燥室Ｒ１と制御室Ｒ２との間で連通する構成とされている。
【００３９】
熱風発生装置３２は、熱源３３とファン３４とを備えたもので、熱源３３で高温化した空気をファン３４により乾燥室Ｒ１内に供給するように構成されている。
【００４０】
また、乾燥室Ｒ１の上部には、乾燥させる昆布を吊下するための桟材３５が格子状に配設されている。これらの桟材３５は、屋内１ａに面する３方の側壁４と間仕切り３１とに固定されている。
【００４１】
一方、図４に示すように、通気層１１は、外壁部８の上端部分において屋根５の下面側の通気層１１に連通し、更に側壁４の上端部近傍における開口部３６において屋内１ａに開口している。
開口部３６に近接する側壁４の外壁部８には、開口部３６に連通する排気口３７が形成されており、この排気口３７にファン３８が設けられ、このファン３８によって屋内１ａの空気を屋外１ｂへ排気できるようになっている。また、図１、図４に示すように間仕切り３１にはファン４０が設けられている。
【００４２】
上記の乾燥小屋１の構築方法としては、乾燥小屋１全体を新たに構築するほか、既設の断熱構造を有しない小屋に対して事後的に断熱構造２を施工する事によっても構築が可能である。以下、事後的に断熱構造２を施工する方法について説明する。
【００４３】
まず、図１に示すように、地盤面ＧＬよりやや上方の基礎３上部３ｂから内側パネル１７に渡って、該内側パネル１７の上端までの全体を覆うように断熱材９を留め付ける。この場合断熱材９は、留め具（不図示）により軒桁１５、柱１３等の躯体に留め付ける。なお、断熱材９を留め付ける際、小屋の基礎部３と土台７との間に隙間が生じている場合には、充填処理をする。
【００４４】
次いで、断熱材９の内側に、防水材１０を配置した上で図３に示す前述した複数の縦胴縁３０を、水平方向に所定の間隔を設けて、略鉛直に留め付ける。その上で内装材１２を該縦胴縁３０に取り付け、断熱材９と内装材１２との間に通気層１１を形成する。
【００４５】
次に、図１に示すように屋根５の内側の垂木１９に断熱材９を留め付けて、該断熱材９が屋根５の内側面の全体を密に覆うように設ける。
【００４６】
更に、外壁部８上に設けた断熱構造２と同様に、屋根５内側に設けられた断熱材９の表面にシート状の防水材１０を配し、該防水材１０が配された断熱材９上に縦胴縁３０を留め付け、更に、屋根５内面全体を覆うように内装材１２を取り付ける。以上のようにして、既存の小屋に断熱構造２を設けることが出来る。
【００４７】
次に、乾燥小屋１による昆布の乾燥方法と、断熱構造２の作用について説明する。
図４に示すように、濡れた昆布Ｋを乾燥室Ｒ１に設置された桟材３５に吊るし、制御室Ｒ２に備えた熱風発生装置３２を作動させ、ファン３４から乾燥室Ｒ１内に熱風を吹き込み、乾燥室Ｒ１内の温度を上昇させる。この際、乾燥室Ｒ１に設置されたファン４０を作動させて熱風を乾燥室Ｒ１内に行き渡らせる。
【００４８】
この場合、屋外１ｂの温度が低い場合であっても、断熱材９により乾燥小屋１の屋内１ａと屋外１ｂとが断熱されているため、屋内１ａの温度が保持された状態となる。
乾燥室Ｒ１内の温度の上昇により、吊下げられた昆布Ｋに含まれた水分が蒸発し始めると、排気孔３７のファン３８を稼動させる。
【００４９】
ファン３８を稼動させると、乾燥小屋１の屋内１ａは負圧となるので、乾燥小屋１の屋外１ｂの大気圧との気圧差によって、屋内１ａには不図示の給気孔から自然給気される。
この際、通気層１１は、内装材１２の下端１２ａにおいて屋内１ａと連通し、かつ排気孔３７と連通するとともに屋内１ａと連通しているので、通気層１１内の空気及び湿気を帯びた屋内１ａの空気が排気孔３７から排出される。
【００５０】
このように、本発明による断熱構造２を有した乾燥小屋１によれば、防水材１０を配した断熱材９と内装材１２との間に通気層１１を介在させ、該通気層１１内を空気が流通しうるように構成されているため、防水材１０の表面及び内装材１２との間の湿気を蒸発、排出させやすく、高温多湿になる乾燥小屋１の屋内１ａにおいても断熱材９及び内装材１２がカビ等により腐食しにくく、断熱効果を低下させ難いという効果を奏する。
【００５１】
また、カビ等による腐食を防止することができるため、乾燥室内を清潔に保持するとともに、断熱材９及び内装材１２の耐久性が高められるという効果が得られる。
また、湿気を含んだ空気により断熱材９と基礎３及び外壁部８との間に結露を生じさせ難いという効果が得られる。
【００５２】
また更に、断熱材９として、硬質ウレタンフォーム等の他の発泡体よりも熱伝導率の低いフェノール樹脂発泡体を用いれば高い断熱性能を得ることができるとともに、断熱材９の厚みを抑えて屋内１ａ空間を確保することができる。
また、断熱材９の軽量化を図ることができるため、断熱材９の施工現場への持ち運び及び施工が簡便となって効率よく施工作業をすることができ、施工作業の簡便化により施工費用の低減が図れるという効果を奏し、更には乾燥小屋１の固定荷重の軽減を図ることができるという効果を奏する。
【００５３】
なお、上記実施形態においては、この発明を昆布の乾燥小屋に適用した場合の例について説明したが、この用途に限られず、衣類の乾燥室その他各種の乾燥室に適用してもよい。
【符号の説明】
【００５４】
１    乾燥小屋（建築構造物）
１ａ  屋内
２    断熱構造
３    基礎
３ａ  下部
５    屋根
８    外壁部
９    断熱材
１０  防水材
１１  通気層
１２  内装材
Ｇ    地盤
【図１】
2011184905.tif 000003
【図２】
2011184905.tif 000004
【図３】
2011184905.tif 000005
【図４】
2011184905.tif 000006
【図５】
2011184905.tif 000007